(57)【特許請求の範囲】
【請求項１】
フレームグラウンドとなるベース板を有する電子機器間のアース連結装置であって、当該電子機器の相互のフレームグラウンドを電気的に連結するために、各電子機器の各ベース板に接触して各ベース板同士を電気的に連結する、電子機器間のアース連結装置において、
一方の電子機器のベース板に電気的に取り付けられる取付片と、この取付片から延びて他方の電子機器のベース板の下面と対向するようにした支持片とを有する金属ブラケットを有し、
前記支持片上に電気的に取り付けられた金属板製のアース板が、前記支持片の長手方向において上方に向って突出する、少なくとも２つの山形部を有し、一部の山形部は前記他方の電子機器のベース板の下面に当たり、他部の山形部は前記他方の電子機器のベース板の縁部に垂下形成された折り曲げ部に当たるように前記金属ブラケットの前記支持片上に配置されていることを特徴とする電子機器間のアース連結装置。
【請求項２】
前記アース板は、前記金属ブラケットの前記支持片の長手方向において、前後両端部が前記支持片に固定されている請求項１記載の電子機器間のアース連結装置。
【請求項３】
前記アース板は、前後方向に沿ってスリットが形成されている請求項１又は２に記載の電子機器間のアース連結装置。
【請求項４】
前記金属ブラケットの前記支持片の両側縁に、前記アース板の両側縁外側に沿う曲げ部が所定の高さで設けられている請求項１〜３の何れか１項に記載の電子機器間のアース連結装置。
【発明の詳細な説明】
【０００１】
【発明の属する技術分野】
本発明は、ＯＡ機器その他の電子機器間で相互のフレームグラウンドを電気的に連結するアース連結装置に関する
【０００２】
【従来の技術】
複数の電子機器を連結させて使用するＯＡ機器、電子機器、装置等では、電子機器への電源や信号供給の為に複数の電子機器相互を電気的にも連結させて使用する場合が多い。こういった電子機器の場合、電子機器相互のフレームグラウンドを互いに同一な電位に保つ為、電子機器の構造フレーム同士を電気的に連結させる必要がある。近年は電子機器等からの電磁波の不要輻射の法的な規制も強まり、この、構造フレーム同士の電気的連結の重要性が増している。この電気的連結には従来よりアース板と呼ばれる板ばね状のものを電子機器の構造フレームやベース板などに当てる事でおこなわれている。従来は電子機器のベース板の下面に横から滑り込ませる様に山形に曲げた板ばね状のアース板を入れて、ベース板の下面にアース板を当てているものが多かった。
【０００３】
図５の（１）、（２）は、この従来のアース板５０を示したもので、金属板を弧状に成形した形状となっていた。このアース板５０は、図示のような金属ブラケット５１と一体となってアース連結装置を構成して使用されていたものである。金属ブラケット５１は、連結して使用される電子機器のベース板間に渡すように設置できるようにしたもので、一方の電子機器のベース板に取り付けられる取付片５２と、この取付片５２から延びて他方の電子機器のベース板の下面と対向するようにした支持片５３とを有しており、前記アース板５０は、金属ブラケット５１の支持片５３上に設置されて、基端部分を固定ねじ５４で支持片５３に固定していた。
【０００４】
【発明が解決しようとする課題】
図５に示したような従来のアース連結装置では、電子機器間の連結を解除する際に、アース板５０が引っかかって、めくれて変形してしまったり、何度も連結・解除を繰り返していると、アース板５０が変形して弧状の山が低くなり、電子機器のベース板の下面に正しく当たらなくなり、電気的導通がうまく取れなくなってしまっていた。また、電子機器のベース板などは強度を増す為に縁部には折り曲げ部が垂下するように設けられ、又、中央の平面部分には絞り加工を行って凸凹（リブ）の面を形成している事が多いが、アース板５０をベース板の下方に挿入する時には縁部に垂下形成された折り曲げ部を通過した後に、絞り加工の凸凹の面などに確実アース板５０を当てようとするには、より弾力性のあるばね性の高い金属板を使用する必要があり、結果的に薄い板材を使用する事となっていた。このため、アース板５０の縁が鋭くなって設置作業時などに手を触れた際に怪我をする可能性が高まる問題があった。さらに、より弾力性のあるばね性の高い金属板として、薄くてしなやかなばね材であるベリリウムカッパーなどがあり、大きな変形量を与えても永久変形しにくく有利であることから、良く用いられているが高価なことが欠点であった。
【０００５】
本発明はかかる問題点に鑑みてなされたもので、ＯＡ機器その他の電子機器間で相互のフレームグラウンドの電気的連結が確実にでき、しかも、繰り返しの連結・解除に耐え得る電子機器間のアース連結装置を提供することを目的としている。
【０００６】
【課題を解決するための手段】
前記問題点を解決するために、本発明の電子機器間のアース連結装置は、フレームグラウンドとなるベース板を有する電子機器間のアース連結装置であって、当該電子機器の相互のフレームグラウンドを電気的に連結するために、各電子機器の各ベース板に接触して各ベース板同士を電気的に連結する、電子機器間のアース連結装置である。そして、本発明の電子機器間のアース連結装置は、一方の電子機器のベース板に電気的に取り付けられる取付片と、この取付片から延びて他方の電子機器のベース板の下面と対向するようにした支持片とを有する金属ブラケットを有し、また支持片上に電気的に取り付けられた金属板製のアース板が、支持片の長手方向において上方に向って突出する、少なくとも２つの山形部を有している。更に、アース板における一部の山形部は前記他方の電子機器のベース板の下面に当たり、アース板における他部の山形部は前記他方の電子機器のベース板の縁部に垂下形成された折り曲げ部に当たるように前記金属ブラケットの前記支持片上に配置されている。よって、安価なアース板を使用可能となり、フレームグラウンドとなるベース板を有する電子機器間のアース連結を確実に行うことができ、繰り返しの連結・解除に耐え得る耐久性の優れた電子機器間のアース連結装置を提供できる。
【０００８】
また、アース板は、金属ブラケットの支持片の長手方向において、前後両端部が支持片に固定されている。
【０００９】
更に、アース板は、前後方向に沿ってスリットが形成されている。
【００１１】
また、金属ブラケットの支持片の両側縁に、アース板の両側縁外側に沿う曲げ部が所定の高さで設けられている。
【００１２】
【発明の実施の形態】
このように構成される本発明のアース連結装置では、アース板に形成した１つ目の（先端側）山形部は電子機器のベース板の下面に当たるようにし、２つ目の（基端側）山形部はベース板の縁部に垂下形成された折り曲げ部に当たるようにする。電子機器の連結に際して、アース板を他方の電子機器のベース板の下方に挿入する時、１つ目の山形部はベース板の縁部の折り曲げ部を変形しながら通過し、２つ目の山形部がベース板の縁部の折り曲げ部に押された状態で接するとき、押された反作用で、ベース板の下面に当たった１つ目の山形部が、せりあがってベース板の下面に強く当たり、電気的導通がより確実なものとなる。この挙動により、アース板には従来の様にしなやかで高価な材料を使用する必要がなくなる。また、山形部を少なくとも２つとしたことにより接点数が少なくとも２倍になり、これも電気的導通を確実なものとする要因となる。アース板の前後は金属ブラケットの支持片に固定すると、誤ってアース板の縁に手を触れてしまう事もなくなり、安全性も向上する。
【００１３】
【実施例】
以下、本発明の一実施例を添付の図面に基づいて説明する。図１は本発明による電子機器間のアース連結装置の全体斜視図、図２は電子機器の連結状態を示す正面図、図３は図２でのアース連結装置による連結部の拡大図、図４は連結作業時のアース板の変形挙動を示す正面図である。
【００１４】
図１に示すように、この実施例の電子機器間のアース連結装置は、金属ブラケット１０と、金属板を成形したアース板１１とからなっている。金属ブラケット１０は、互いに連結する電子機器の一方の電子機器のベース板２１（図２、３参照）に取り付けられる取付片９と、この取付片９から延びて他方の電子機器のベース板３１の下面と対向するようにした、断面横Ｌ字状の支持片８とを有している。
【００１５】
アース板１１には前後両端部に、上方に向って突出する２つの山形部１２、１３が形成してある。このアース板１１は薄い金属板で作られ、ある程度の弾力性があり、変形に対する復元性も有している。アース板１１は前後両端が固定ねじ１５で金属ブラケット１０の支持片８上に固定されている。アース板１１の材質は薄い金属板であれば良いが、電気的接続をより確実なものにしたい場合や、耐腐食性を向上させたい場合には、表面にめっきを施す事も考えられる。めっきはＡｕ、Ｎｉ、Ｓｎなどが考えられる。ただし、頻繁に挿抜（電子機器の連結・解除）をおこなう用途の場合には、めっきが摩耗したり剥離したりする場合もある為、その様な用途の場合にはめっきは避けたほうがよい。
【００１６】
本実施例では厚さ０．２ｍｍのリン青銅板を用いた。アース板１１にはしなやかさを増やす為にスリット１４が前後の方向に沿って複数形成されており、このスリット１４の設置によってさらに接続点の数を増やし、より確実な電気的接続に寄与できるようにしてある。
【００１７】
アース板１１を支持する金属ブラケット１０の支持片８の両側縁には、アース板１１の両側縁外側に沿うように曲げ部１７が立上るようにして設けられている。この曲げ部１７により、アース板１１を電子機器の下に挿入する際に、アース板１１の山形部１２、１３の変形高さを制限し、無理な変形を防止できるようにしてある。また、アース板１１の切断端面である側縁に手などを触れにくくして、薄い金属板でできたアース板１１による怪我を防止する効果も得られている。
【００１８】
図２には本実施例の電子機器間のアース連結装置が連結して使用される電子機器２０、３０間に取り付けられ、電子機器２０、３０相互を電気的に連結した状態を示している。ここでは複写機と後処理機の連結を例としてあらわしている。以下では、電子機器２０は後処理機２０、電子機器３０は複写機３０として説明する。
【００１９】
図３は、図２における電子機器間のアース連結装置による連結部分を拡大して示した図である。後処理機２０のベース板２１に、アース板１１を設置した金属ブラケット１０の取付片９が固定ねじ１６で固定されている。その状態で後処理機２０を複写機３０と連結し、金属ブラケット１０の支持片８を複写機３０のベース板３１の下面と対向させている。アース板１１の２つの山形部１２、１３は複写機３０のベース板３１の中央部の絞り部３４と、ベース板３１の縁部に垂下形成された折り曲げ部３２にそれぞれ接触している。
【００２０】
図４の（１）〜（５）は上記のように、後処理機２０と複写機３０を連結する際のアース板１１の変形挙動を示している。以下、同図の（１）〜（５）の連続図でのアース板１１の変形挙動について説明する。尚、後処理機２０、複写機３０共に装置のベース部にキャスタ４０を有し、これにより床面を容易に移動する事が可能になっている。又、後処理機２０と複写機３０は、互いに連結して使用される事を想定してあり、ベース板２１、３１の高さ寸法などが合わせて作られている。
【００２１】
図４の（１）は、後処理機２０と複写機３０が接近し、アース板１１の１つ目（先端側）の山形部１２が複写機３０のベース板３１の折り曲げ部３２に当たるところである。
【００２２】
図４の（２）は、後処理機２０と複写機３０がさらに接近し、アース板１１の１つ目の山形部１２が複写機３０のベース板３１の折り曲げ部３２に押されて変形し、複写機３０のベース板３１の下面側へもぐり込んでゆくところである。アース板１１は全体が変形する様にたわみ、特に１つ目の山形部１２だけ押しつぶされる事は無いので、永久変形しにくい。
【００２３】
図４の（３）は、アース板１１の１つ目の山形部１２が複写機３０のベース板３１の折り曲げ部３２を越え、一旦変形から開放されるところである。
【００２４】
図４の（４）は、後処理機２０と複写機３０がさらに接近し、アース板１１の２つ目（基端側）の山形部１３が複写機３０のベース板３１の折り曲げ部３２を越えるところである。
【００２５】
最後の図４の（５）は、後処理機２０と複写機３０がさらに接近し、アース板１１の２つ目の山形部１３が複写機３０のベース板３１の折り曲げ部３２を越えたところで連結が完了した状態である。このときには、アース板１１の１つ目の山形部１２は複写機３０のベース板３１の中央部の絞り部３４に接触し、なおかつ、アース板１１の２つ目の山形部１３の変形により、図中の矢印方向にアース板１１が押される事で、１つ目の山形部１２が上方に押される方向に力がかかり、複写機３０のベース板３１の絞り部３４に強く接触する。この挙動により従来の様にしなやかで高価な材料を使用することなく、電気的導通がより確実なものとなる。また、山形部が前後に２つ設けられているので、複写機３０のベース板３１との接点数が２倍になり、これも電気的導通を確実なものとする要因となる。
【００２６】
【発明の効果】
以上説明したように、本発明の電子機器間のアース連結装置は、フレームグラウンドとなるベース板を有する電子機器間のアース連結装置であって、当該電子機器の相互のフレームグラウンドを電気的に連結するために、各電子機器の各ベース板に接触して各ベース板同士を電気的に連結する、電子機器間のアース連結装置である。そして、本発明の電子機器間のアース連結装置は、一方の電子機器のベース板に電気的に取り付けられる取付片と、この取付片から延びて他方の電子機器のベース板の下面と対向するようにした支持片とを有する金属ブラケットを有し、また支持片上に電気的に取り付けられた金属板製のアース板が、支持片の長手方向において上方に向って突出する、少なくとも２つの山形部を有している。更に、アース板における一部の山形部は前記他方の電子機器のベース板の下面に当たり、アース板における他部の山形部は前記他方の電子機器のベース板の縁部に垂下形成された折り曲げ部に当たるように前記金属ブラケットの前記支持片上に配置されている。よって、安価なアース板を使用可能となり、フレームグラウンドとなるベース板を有する電子機器間のアース連結を確実に行うことができ、繰り返しの連結・解除に耐え得る耐久性の優れた電子機器間のアース連結装置を提供できる。
【００２７】
また、アース板は、金属ブラケットの支持片の長手方向において、前後両端部が支持片に固定されている。よって、前後両端部の固定によってアース板の変形を制限でき、挿抜の耐久性が向上する。また、安全性にも寄与することができる。
【００２８】
更に、アース板は、前後方向に沿ってスリットが形成されている。よって、スリットで分離された山形部がそれぞれ独自の挙動をするので、アース板とベース板の電気的接触部を更に増やす事が可能となる。
【００３０】
また、金属ブラケットの支持片の両側縁に、アース板の両側縁外側に沿う曲げ部が所定の高さで設けられている。よって、アース板の過度の変形を曲げ部によって制限でき、挿抜の耐久性が向上する。また、安全性にも寄与する。
【００３１】
本発明におけるアース板は、弾性率の低い変形しやすい安価な材料を用いても電気的接触を確実なものにでき、低コストで高い接続性能を得る事が可能であり、電磁波の不要輻射を抑える為に大きな効果を発揮する。しかも、繰り返し挿抜時の耐久性も高く、取り扱い時の安全性も考慮されており、機器の性能、機能の向上に大いに寄与することが可能である。
【図面の簡単な説明】
【図１】本発明の実施例の電子機器間のアース連結装置の全体斜視図である。
【図２】電子機器相互を連結した状態を示す正面図である。
【図３】実施例のアース連結装置による連結部を拡大した正面図である。
【図４】電子機器の連結時のアース板の変形挙動を示す正面図で、（１）は
電子機器相互が連結のため接近する時の図、（２）は更に接近する時の図、（３）はアース板の１つ目の山形部がベース板の折り曲げ部を越えた時の図、（４）はアース板の２つ目の山形部がベース板の折り曲げ部を越える時の図、（５）は電子機器相互の連結が完了した時の図である。
【図５】従来例を示す図で、（１）は平面図、（２）は正面図である。
【符号の説明】
８；支持片、９；取付片、１０；金属ブラケット、１１；アース板、
１２；山形部、１３；山形部、１４；スリット、１５；固定ねじ、
１７；曲げ部、２０；電子機器（後処理機）、２１；ベース板、
２２；折り曲げ部、３０；電子機器（複写機）、３１；ベース板、
３２；折り曲げ部、３４；絞り部、４０；キャスタ。
【図１】
0004188569.tif 000002
【図２】
0004188569.tif 000003
【図３】
0004188569.tif 000004
【図４】
0004188569.tif 000005
【図５】
0004188569.tif 000006